(57)【特許請求の範囲】
【請求項１】
機器側シールドコネクタとこの機器側シールドコネクタに嵌合される電線側シールドコネクタとを共に収容保持する樹脂製の共用アウターハウジングを備え、前記電線側シールドコネクタが挿入される前記共用アウターハウジングの後方開口部には、該後方開口部の上半分を塞ぐ樹脂製の第１蓋体と下半分を塞ぐ樹脂製の第２蓋体とが装着されると共に、各蓋体には前記電線側シールドコネクタの後端面を支持して抜け止めする支持板がそれぞれ設けられていることを特徴とするシールドコネクタ装置。
【請求項２】
前記第１蓋体と前記第２蓋体とが突き合わせられて係合されるように一方の蓋体に係合片が設けられ、他方の蓋体に係合孔が設けられていることを特徴とする請求項１に記載のシールドコネクタ装置。
【請求項３】
前記共用アウターハウジングの後方開口部の上壁にはその外側から前記第１蓋体の支持板が挿通可能なスリットが該上壁の後端縁から切欠形成され、下壁にはその外側から前記第２蓋体の支持板が挿通可能なスリットが該下壁の後端縁から切欠形成されると共に、前記第１蓋体と前記第２蓋体はそれぞれ前記後方開口部を塞ぐように上下方向からスライドされて装着されることを特徴とする請求項１または２に記載のシールドコネクタ装置。
【請求項４】
前記共用アウターハウジングの後方開口部の上壁の後端縁にはヒンジ部を介して前記第１蓋体が一体的に連結され、下壁の後端縁にはヒンジ部を介して前記第２蓋体が一体的に連結されると共に、前記第１蓋体と前記第２蓋体はそれぞれ前記後方開口部を塞ぐように閉じられて装着されることを特徴とする請求項１または２に記載のシールドコネクタ装置。
【発明の詳細な説明】
【技術分野】
【０００１】
本発明はシールドツイストペア電線や同軸線などのシールドケーブルに接続されるシールドコネクタ装置に関するものである。
【背景技術】
【０００２】
一般的に、ＳＴＰ（シールド・ツイステッド・ペア）と呼ばれるシールドツイストペア電線が備えるシールド導体の内側には、２本の信号線を撚り合わせたものが用いられている。この撚り合わせのツイストにより形成された隣り合う信号線のループで発生する磁界の向きが逆になって、お互いに発生磁界を打ち消し合うことにより、電磁誘導の影響を少なくすることができるのが特徴で、この場合更に外側をシールド導体が覆うことで、より電磁誘導ノイズを外部に輻射し難いと共にノイズを外部から受け難いことが知られており、高速伝送用のＬＡＮケーブルとして広く使われている。
【０００３】
通常、このようなシールドツイストペア電線はモジュラーコネクタと呼ばれる専用のコネクタに端末加工されて接続されるが、近年、カーナビゲーション等の自動車に搭載される電気機器を、このようなシールドツイストペア電線を用いて車載ネットワークを構成することがある。
【０００４】
このようなシールドツイストペア電線と電気機器が備えるプリント回路基板との接続には、図８に示されるような電線側シールドコネクタ２１０と機器側シールドコネクタ２３０を備えたシールドコネクタ装置２００が用いられている。図８（ａ）に示されるようにシールドツイストペア電線Ｗの端末部分には電線側シールドコネクタ２１０が接続されている。この電線側シールドコネクタ２１０は、樹脂製の電線側アウターハウジング２２０の後方開口部から挿入されて、電線側アウターハウジング２２０の内部に収容保持されるようになっている。
【０００５】
電線側シールドコネクタ２１０と嵌合されて接続される機器側シールドコネクタ２３０は、図８（ｂ）に示されるような樹脂製の機器側アウターハウジング２４０に収容保持されている。機器側シールドコネクタ２３０は、電気機器等が備えるプリント回路基板９０に形成された信号パターンやグランドパターン等の回路パターンに接続されている。
【０００６】
電線側アウターハウジング２２０の側面には、ロック部２２１が後方に撓み可能に設けられており、そのロック部２２１には突部２２２が突設されている。この突部２２２が、機器側アウターハウジング２４０の内部に凹設された凹部２４１と係合されると、電線側アウターハウジング２２０は機器側アウターハウジング２４０内で抜け止め状態にされるようになっている。尚、本発明に関連する先行技術文献として下記特許文献が挙げられる。
【０００７】
【特許文献１】特開平１１−５４２１２号公報
【発明の開示】
【発明が解決しようとする課題】
【０００８】
このようなシールドコネクタ装置２００を多数並べて一括して接続したい場合には、機器側シールドコネクタ２３０を多数並べて収容保持した図９に示される機器側アウターハウジング２６０のような構成が考えられるが、多数の電線側アウターハウジング２２０を収容するために長尺化してしまう。
【０００９】
図９に示されるように機器側アウターハウジング２６０の長尺化によってシールドコネクタ装置２５０が大きくなってしまうと、プリント回路基板９０上での占有面積が増大してしまい、その分、回路パターンが形成される領域が小さくなってしまう問題がある。
【００１０】
そこで、本発明が解決する課題は、複数の電線側シールドコネクタとこれに嵌合される複数の機器側シールドコネクタを収容保持するアウターハウジングの小型化を可能にするシールドコネクタ装置を提供することである。
【課題を解決するための手段】
【００１１】
上記課題を解決するため本発明に係るシールドコネクタ装置は、機器側シールドコネクタとこの機器側シールドコネクタに嵌合される電線側シールドコネクタとを共に収容保持する樹脂製の共用アウターハウジングを備え、前記電線側シールドコネクタが挿入される前記共用アウターハウジングの後方開口部には、該後方開口部の上半分を塞ぐ樹脂製の第１蓋体と下半分を塞ぐ樹脂製の第２蓋体とが装着されると共に、各蓋体には前記電線側シールドコネクタの後端面を支持して抜け止めする支持板がそれぞれ設けられていることを要旨とするものである。
【００１２】
このような構成のシールドコネクタ装置によれば、機器側シールドコネクタとこの機器側シールドコネクタに嵌合される電線側シールドコネクタとを共に収容保持する共用アウターハウジングにより、従来の機器側アウターハウジングと電線側アウターハウジングの２つの部材が１つの部材に共有化されているので、シールドコネクタ装置の小型化が可能になる。
【００１３】
更に、電線側シールドコネクタが挿入される共用アウターハウジングの後方開口部には、その後方開口部の上半分を塞ぐ第１蓋体と下半分を塞ぐ第２蓋体とが装着されると共に、各蓋体には電線側シールドコネクタの後端面を支持して抜け止めする支持板がそれぞれ設けられているので、簡便に電線側シールドコネクタを共用アウターハウジング内に抜け止め状態に収容保持することができる。したがって、従来技術で説明した電線側アウターハウジング２２０に設けられていたロック部２２１と、これに係合する機器側アウターハウジング２４０に設けられていた凹部２４１が廃止された分、更に小型化が可能になっている。
【００１４】
この場合、前記第１蓋体と前記第２蓋体とが突き合わせられて係合されるように一方の蓋体に係合片が設けられ、他方の蓋体に係合孔が設けられている構成にすれば、共用アウターハウジングの後方開口部に装着された第１蓋体と第２蓋体が不用意に開いてしまうことが防止される。
【００１５】
また、前記共用アウターハウジングの後方開口部の上壁にはその外側から前記第１蓋体の支持板が挿通可能なスリットが該上壁の後端縁から切欠形成され、下壁にはその外側から前記第２蓋体の支持板が挿通可能なスリットが該下壁の後端縁から切欠形成されると共に、前記第１蓋体と前記第２蓋体はそれぞれ前記後方開口部を塞ぐように上下方向からスライドされて装着される構成にすれば、簡便な構成で共用アウターハウジングの後方開口部を第１蓋体と第２蓋体により塞ぐと共に、それぞれに設けられた支持板により電線側シールドコネクタの後端面を支持して抜け止めすることが可能になる。
【００１６】
更に、前記共用アウターハウジングの後方開口部の上壁の後端縁にはヒンジ部を介して前記第１蓋体が一体的に連結され、下壁の後端縁にはヒンジ部を介して前記第２蓋体が一体的に連結されると共に、前記第１蓋体と前記第２蓋体はそれぞれ前記後方開口部を塞ぐように閉じられて装着される構成にしても良い。このような構成にすれば、簡便な構成で共用アウターハウジングの後方開口部を第１蓋体と第２蓋体により塞ぐと共に、それぞれに設けられた支持板により電線側シールドコネクタの後端面を支持して抜け止めすることが可能になる。また、共用アウターハウジングと各蓋体を一体的に成形することができ、製作にかかるコストを低減することができる。
【発明の効果】
【００１７】
上記構成を有する本発明に係るシールドコネクタ装置によれば、機器側シールドコネクタとこの機器側シールドコネクタに嵌合される電線側シールドコネクタとを共に収容保持する樹脂製の共用アウターハウジングにより、シールドコネクタ装置の小型化が可能になる。
【００１８】
また、電線側シールドシェルが挿入される共用アウターハウジングの後方開口部には、その後方開口部の上半分を塞ぐ樹脂製の第１蓋体と下半分を塞ぐ樹脂製の第２蓋体とが装着されると共に、各蓋体には電線側シールドコネクタの後端面を支持して抜け止めする支持板がそれぞれ設けられているので、簡便に電線側シールドコネクタを共用アウターハウジング内に抜け止め状態に収容保持することができる。
【発明を実施するための最良の形態】
【００１９】
以下に、本発明に係るシールドコネクタ装置の実施の形態について図面を参照して説明する。尚、本実施形態に係るシールドコネクタ装置は、信号線を多数本有する多極シールドケーブルに適用されるもので、本実施例では信号線を６本有するシールドツイストペア電線に適用した場合について説明する。
【００２０】
先ず、本発明の第１の実施形態に係るシールドコネクタ装置１０について図１〜図４を用いて説明する。
【００２１】
図１はシールドコネクタ装置１０の嵌合前の状態を示した外観斜視図、図２は同じくシールドコネクタ装置１０の嵌合前の状態を示した断面図である。また、図３はシールドコネクタ装置１０の嵌合後の状態を示した外観斜視図、図４は同じくシールドコネクタ装置１０の嵌合後の状態を示した断面図である。尚、以下の説明におけるシールドコネクタ装置１０を構成する各部材においては、図１および図２に示される電線側シールドコネクタ２０側を前方、機器側シールドコネクタ２０側を後方として説明する。
【００２２】
図１および図２に示されるようにシールドコネクタ装置１０は、４つの電線側シールドコネクタ２０，２０，２０，２０と、これに嵌合される４つの機器側シールドコネクタ３０，３０，３０，３０と、これら電線側シールドコネクタ２０と機器側シールドコネクタ３０とを共に収容保持する共用アウターハウジング４０と、この共用アウターハウジング４０の後方開口部を閉塞する蓋体５０，６０を備えている。
【００２３】
図示されるように１本のシールドツイストペア電線Ｗの端末部分に接続される電線側シールドコネクタ２０は、電気信号の受け渡しに直接的な役割を担う電線側端子２１と、この電線側端子２１を電磁的にシールドする電線側シールドシェル２３と、これら電線側端子２１と電線側シールドシェル２３との間を絶縁状態にする電線側インナーハウジング２２とから構成される。この場合、電線側シールドコネクタ２０には、シールドツイストペア電線Ｗが備える６本の信号線Ｗａにそれぞれ接続されるように６つの電線側端子２１が備えられている。
【００２４】
電線側端子２１は、シールドツイストペア電線Ｗの信号線Ｗａの信号導体Ｗｂに接続されて電気信号を伝達するもので、金属板を打ち抜いた展開形状のものに曲げ加工を施すことにより成形されており、いわゆるメス型と呼ばれる端子形状を有している。この電線側端子２１は、前方部に機器側シールドコネクタ３０が備える機器側端子３１と接続される端子接続部２１ａと、後方部に信号線Ｗａの信号導体Ｗｂにカシメ加工により接続される電線接続部２１ｂを備えている。
【００２５】
この電線側端子２１を収容する電線側インナーハウジング２２は、電線側端子２１と電線側シールドシェル２３の両導体間を絶縁状態にするためのもので、所定の誘電率を有する樹脂製の絶縁部材により略角柱形状に成形されている。この電線側インナーハウジング２２の後方から電線側端子２１は挿入されて収容される。この場合、電線側インナーハウジング２２は、６つの電線側端子２１が収容可能となっている。
【００２６】
電線側シールドシェル２３は、シールドツイストペア電線Ｗのシールド導体Ｗｄに接続されて６つの電線側端子２１の周囲を覆って電磁的にシールドするものである。この電線側シールドシェル２３は、シールドケース２４と、このシールドケース２４に組み付けられるシールドカバー２５とから構成される。
【００２７】
シールドケース２４は、金属板を打ち抜いた展開形状のものに曲げ加工を施すことにより成形されており、電線側インナーハウジング２２が収容される側面が開口した略箱形状の本体部２４ａを備えている。この本体部２４ａの開口部は、シールドカバー２５の同じく側面が開口した略箱形状を有するカバー部２５ａが組み付けられて塞がれるようになっている。
【００２８】
またシールドケース２４は、その本体部２４ａから後方に延設された接続片２４ｂを備えている。この接続片２４ｂには、シールドツイストペア電線Ｗのシールド導体Ｗｄが被されて、その上からシールドカバー２５のカバー部２５ａから後方に延設されたシールド導体圧着片２５ｂとシース圧着片２５ｃがカシメ加工されている。
【００２９】
シールドケース２４の接続片２４ｂの上に被せられたシールド導体Ｗｄ上に、シールドカバー２５のシールド導体圧着片２５ｂがカシメ加工されると、接続片２４ｂとシールド導体圧着片２５ｂとの間にシールド導体Ｗｄが挟み込まれることになる。これにより電線側シールドコネクタ２０が備える電線側シールドシェル２３とシールドツイストペア電線Ｗが備えるシールド導体Ｗｄが電気的に接続される。
【００３０】
また、シールドケース２４の接続片２４ｂの上に被せられたシールド導体ＷｄおよびシースＷｅ上に、シールドカバー２５のシース圧着片２５ｃがカシメ加工されると、接続片２４ｂとシース圧着片２５ｃとの間にシールド導体ＷｄおよびシースＷｅが挟み込まれることになる。これにより電線側シールドコネクタ２０がシールドツイストペア電線Ｗの端末部分から容易に抜けないように固定される。
【００３１】
図示されるように電線側シールドシェル２３の右側面から右側に突出したガイド片２５ｄ，２５ｄが、シールドカバー２５のカバー部２５ａから延設されており、共用アウターハウジング４０の後方開口部４３ａの右側壁の内側に凹設されたガイド溝４３ｂ，４３ｂに挿入されるようになっている。ガイド溝４３ａの奥側にはストッパ４３ｃが形成されており、ガイド溝４３ａに挿入されたガイド片２５ｄの前端が当接することにより前止まりされるようになっている。
【００３２】
機器側シールドコネクタ３０は、電気信号の受け渡しに直接的な役割を担う機器側端子３１と、この機器側端子３１を電磁的に遮蔽する機器側シールドシェル３３と、これら機器側端子３１と機器側シールドシェル３３との間を絶縁状態にする機器側インナーハウジング３２とから構成される。この場合、機器側シールドコネクタ３０には、上述した電線側シールドコネクタ２０が備える６つの電線側端子２１にそれぞれ嵌合接続される６つの機器側端子３１が備えられている。
【００３３】
機器側端子３１は、金属板の打ち抜きにより成形されたもので、略直角の関係にあるオスタブ形状の端子接続部３１ａと同じくオスタブ形状の基板接続部３１ｂを有している。端子接続部３１ａは上述した電線側端子２１の端子接続部２１ａと嵌合接続される。また、基板接続部３１ｂはプリント回路基板９０のスルーホール９１ａに嵌入されて、プリント回路基板９０に形成された信号回路パターン９１とハンダ接続されるようになっている。
【００３４】
機器側インナーハウジング３２は、所定の誘電率を有する樹脂製の絶縁部材により略角柱形状に成形されており、機器側端子３１と機器側シールドシェル３３の導体間を絶縁状態にする役割を担うもので、内部に６つの機器側端子３１が収容保持されている。
【００３５】
機器側シールドシェル３３は、金属板を打ち抜いた展開形状のものに曲げ加工を施すことにより成形されたもので、上述した電線側シールドコネクタ２０が備える電線側シールドシェル２３と嵌合接続されて、６つの機器側端子３１の周囲を覆って電磁的にシールドする。
【００３６】
この機器側シールドシェル３３は、角筒状の嵌合部３３ａを備えており、この嵌合部３３ａの内側に機器側インナーハウジング３２が収容されている。また、嵌合部３３ａの内壁面には、電線側シールドシェル２３の外壁面が挿入されて嵌合接続されるようになっている。嵌合部３３ａの前方の下端には、対になった基板接続部３３ｂが下方に向かって突出するように設けられており、この基板接続部３３ｂがプリント回路基板９０のスルーホール９２ａに嵌め込まれて、プリント回路基板９０に形成されたグランドパターン９２とハンダ接続される。
【００３７】
このような４つの機器側シールドコネクタ３０，３０，３０，３０と、４つの電線側シールドコネクタ２０，２０，２０，２０とを共に収容保持する共用アウターハウジング４０は、樹脂製の絶縁部材により成形されている。共用アウターハウジング４０の前方側には、機器側シールドコネクタ３０，３０，３０，３０を収容する機器側コネクタ収容室４１，４１，４１，４１が隔壁４２，４２，４２を介して横並びに並設されている。
【００３８】
また、共用アウターハウジング４０の後方側には、電線側シールドコネクタ２０，２０，２０，２０を収容する電線側コネクタ収容室４３，４３，４３，４３が同じく隔壁４２，４２，４２を介して横並びに並設されている。図示されるように対向する機器側コネクタ収容室４１と電線側コネクタ収容室４３は連通して設けられており、収容した機器側シールドコネクタ３０と電線側シールドコネクタ２０が嵌合接続されるようになっている（図４参照）。
【００３９】
共用アウターハウジング４０の機器側コネクタ収容室４１の前方開口部４１ａから機器側シールドコネクタ３０は挿入されて収容される。また、共用アウターハウジング４０の電線側コネクタ収容室４３の後方開口部４３ａから電線側シールドコネクタ２０は挿入されて収容される。
【００４０】
電線側コネクタ収容室４３の後方開口部４３ａの右側壁の上下には、ガイド溝４３ｂ，４３ｂが凹設されており、電線側シールドコネクタ２０のガイド片２５ｄ，２５ｄが挿入されて、ガイド溝４３ｂの前端のストッパ部４３ｃに当接すると電線側シールコネクタ２０が電線側コネクタ収容室４３内において前止まりされるようになっている（図４参照）。
【００４１】
このような共用アウターハウジング４０の後方開口部４３ａ，４３ａ，４３ａ，４３ａは、上方向から装着される第１蓋体５０と、下方向から装着される第２蓋体６０により閉塞されるようになっている。第１蓋体５０は樹脂製の絶縁部材により成形されており、後方開口部４３ａ，４３ａ，４３ａ，４３ａの上半分を閉塞する面積を有した板状の蓋部５１を有している。また、第２蓋体６０も同様に樹脂製の絶縁部材により成形されており、後方開口部４３ａ，４３ａ，４３ａ，４３ａの下半分を閉塞する面積を有した板状の蓋部６１を有している。
【００４２】
第１蓋体５０の蓋部５１の下端縁５１ａには、円弧形状に切欠形成された半円切欠部５１ｂが設けられると共に、第２蓋体６０の蓋部６１の上端縁６１ａには、同様に円弧形状に切欠形成された半円切欠部６１ｂが設けられている。図３に示されるように、第１蓋体５０の蓋部５１の下端縁５１ａと第２蓋体６０の蓋部６１の上端縁６１ａが突き合わされた際には、それぞれの半円切欠部５１ｂ，６１ｂが合わさって形成される円形の開口部７１にツイストペア電線Ｗが挿通されるようになっている。
【００４３】
この場合、第１蓋体５０の蓋部５１の下端縁５１ａには複数の係合片５１ｃが下方に向かって突出形成されていると共に、第２蓋体６０の蓋部６１の上端縁６１ａには複数の係合孔６１ｃが下方に向かって凹設されており、第１蓋体５０の蓋部５１の下端縁５１ａと第２蓋体６０の蓋部６１の上端縁６１ａが突き合わされた際には、係合片５１ｃと係合孔６１ｃが係合することで、第１蓋体５０と第２蓋体６０が不用意に開いてしまうことが防止されるようになっている。
【００４４】
また、第１蓋体５０の蓋部５１の前面の左右両側には、それぞれＴ字形状を有するＴ字係合部５２，５２が後方に向かって突出形成されている。このＴ字係合部５２，５２は、共用アウターハウジング４０の後端面の左右両側の上方から凹設された同じくＴ字形状を有するＴ字係合溝４４，４４に、上方から挿入されるようになっており、Ｔ字係合部５２をＴ字係合溝４４の挿入口４４ａに挿入して下方にスライドさせることで、第１蓋体５０は、共用アウターハウジング４０の後方開口部４３ａ，４３ａ，４３ａ，４３ａの上半分を閉塞するように装着される。この場合、Ｔ字係合部５２は、Ｔ字係合溝４４の深さと同じ長さを有しており、Ｔ字係合溝４４に挿入されるとその挿入口４４ａを閉塞するようになっている。
【００４５】
また、Ｔ字係合部５２の基端部５２ａの下端の左右両側には段状に膨出された段部５２ｂ，５２ｂが形成されている。そして、Ｔ字係合溝４４の上方に開口形成された挿入口４４ａ近傍には、脱落防止用の突起部４４ｂ，４４ｂが内側にやや突出して形成されており、挿入口４４ａから挿入されたＴ字係合部５２の段部５２ｂ，４２ｂがこの突起部４４ｂ，４４ｂを乗り越えると、Ｔ字係合部５２がＴ字係合溝４４から不用意に脱落しないようにされている。
【００４６】
同様に、第２蓋体６０の蓋部６１の前面の左右両側の上方位置には、それぞれＴ字形状を有するＴ字係合部６２，６２が後方に向かって突出形成されている。このＴ字係合部６２，６２は、共用アウターハウジング４０の後端面の左右両側の下方から凹設された同じくＴ字形状を有するＴ字係合溝４５，４５に、下方から挿入されるようになっており、Ｔ字係合部６２をＴ字係合溝４５の挿入口４５ａに挿入して上方にスライドさせることで、第２蓋体６０は、共用アウターハウジング４０の後方開口部４３ａ，４３ａ，４３ａ，４３ａの下半分を閉塞するように装着される。この場合も、Ｔ字係合部６２は、Ｔ字係合溝４５の深さと同じ長さを有しており、Ｔ字係合溝４５に挿入されるとその挿入口４５ａを閉塞するようになっている。
【００４７】
また、Ｔ字係合部６２の基端部６２ａの上端の左右両側には段状に膨出された段部６２ｂ，６２ｂが形成されている。そして、Ｔ字係合溝４５の下方に開口形成された挿入口４５ａ近傍には、脱落防止用の突起部４５ｂ，４５ｂが内側にやや突出して形成されており、挿入口４５ａから挿入されたＴ字係合部６２の段部６２ｂ，６２ｂがこの突起部４５ｂ，４５ｂを乗り越えると、Ｔ字係合部６２がＴ字係合溝４５から不用意に脱落しないようにされている。
【００４８】
また、第１蓋体５０の半円切欠部５１ｂの両側位置には、支持板５３，５３が前方に向かって突出するように設けられている。これに対応して共用アウターハウジング４０の後方開口部４３ａの上壁４６には、その外側から第１蓋体５０の支持板５３，５３が挿通可能なスリット４６ａ，４６ａが上壁４６の後端縁から切欠形成されている。
【００４９】
同様に、第２蓋体６０の半円切欠部６１ｂの両側位置には、支持板６３，６３が前方に向かって突出するように設けられている。これに対応して共用アウターハウジング４０の後方開口部４３ａの下壁４７には、その外側から第２蓋体６０の支持板６３，６３が挿通可能なスリット４７ａ，４７ａが下壁４７の後端縁から切欠形成されている。
【００５０】
また、共用アウターハウジング４０の左右の外側の側面には基板取付部４８，４８が設けられており、プリント回路基板９０にネジ止め固定されている。
【００５１】
次に、このような構成のシールドコネクタ装置１０の組み付け手順について説明する。先ず、共用アウターハウジング４０の前方開口部４１ａから機器側シールドコネクタ３０を挿入して機器側コネクタ収容室４１内に機器側シールドコネクタ３０を収容する。そして、機器側シールドコネクタ３０が備える機器側端子３１の基板接続部３１ｂと機器側シールドシェル３３の基板接続部３３ｂを、プリント回路基板９０のスルーホール９１ａとスルーホール９２ａにそれぞれ嵌入させて、ハンダにより信号回路パターン９１とグランドパターン９２と接続する。
【００５２】
次に、ツイストペア電線Ｗに接続された電線側シールドコネクタ２０を共用アウターハウジング４０の後方開口部４３ａから挿入して電線側コネクタ収容室４３内に電線側シールドコネクタ２０を収容する。このとき、電線側シールドコネクタ２０のガイド片２５ｄが、電線側コネクタ収容室４３のガイド溝４３ｂの奥側のストッパ部４３ｃに当接することで、電線側シールドコネクタ２０は電線側コネクタ収容室４３内で前止まりさせられる。
【００５３】
また、このとき機器側シールドコネクタ３０が備える機器側端子３１と機器側シールドシェル３３は、電線側シールドコネクタ２０が備える電線側端子２１と電線側シールドシェル２３とそれぞれ嵌合接続される。これによりシールドツイストペア電線Ｗが備える信号導体Ｗｂとシールド導体Ｗｄが、電線側シールドコネクタ２０と機器側シールドコネクタ３０を介してプリント回路基板９０の信号回路パターン９１とグランドパターン９２にそれぞれ電気的に接続されたことになる。
【００５４】
そして、電線側シールドコネクタ２０が収容された電線側コネクタ収容室４３の後方開口部４３ａを、上方向から装着される第１蓋体５０と、下方向から装着される第２蓋体６０により閉塞する。具体的には、第１蓋体５０のＴ字係合部５２を共用アウターハウジング４０のＴ字係合溝４４に挿入して下方にスライドさせる。このとき、第１蓋体５０の支持板５３も共用アウターハウジング４０の上壁４６に形成されたスリット４６ａに挿通されて下方にスライドされる。また、第２蓋体６０のＴ字係合部６２を共用アウターハウジング４０のＴ字係合溝４５に挿入して上方にスライドさせる。このとき、第２蓋体６０の支持板６３も共用アウターハウジング４０の下壁４７に形成されたスリット４７ａに挿通されて上方にスライドされる。
【００５５】
そして、第１蓋体５０の下端縁５１ａと第２蓋体６０の上端縁６１ａを突き合わせると、それぞれに設けられた係合片５１ｃと係合孔６１ｃが係合されて、後方開口部４３ａは第１蓋体５０と第２蓋体６０により閉塞される（図３参照）。このとき、図４に示されるように、第１蓋体５０の支持板５３と第２蓋体６０の支持板６３は、電線側シールドコネクタ２０の後端面２４ｃ，２５ｅを後方から支持することになり、電線側シールドコネクタ２０は、抜け止め状態で電線側コネクタ収容室４３内に収容保持されることになる。このようにして、シールドコネクタ装置１０の組み付けが完了する。
【００５６】
このように共用アウターハウジング４０の後方開口部４３ａ，４３ａ，４３ａ，４３ａを閉塞する第１蓋体５０と第２蓋体６０のそれぞれに設けられた支持板５３，６３によって、電線側シールドコネクタ２０の左右両側の後端面、具体的には、シールドカバー２５の後端面２５ｅとシールドケース２４の後端面２４ｃが後方から支持されることで、電線側シールドコネクタ２０が電線側コネクタ収容室４３内において抜け止めされる。
【００５７】
上述したシールドコネクタ装置１０によれば、機器側シールドコネクタ３０とこの機器側シールドコネクタ３０に嵌合される電線側シールドコネクタ２０とを共に収容保持する共用アウターハウジング４０を備えていることにより、従来技術で説明した機器側アウターハウジング２４０と電線側アウターハウジング２２０の２つ部材が１つの部材に共有化されているので、シールドコネクタ装置１０の小型化が可能になっている。
【００５８】
また、４つの電線側シールドコネクタ２０が挿入される共用アウターハウジング４０の後方開口部４３ａ，４３ａ，４３ａには、それら後方開口部４３ａ，４３ａ，４３ａ，４３ａの上半分を閉塞する第１蓋体５０と下半分を閉塞する第２蓋体６０とが装着されると共に、各蓋体５０，６０には電線側シールドコネクタ２０の後端面２４ｃ，２５ｅを後方から支持して抜け止めする支持板５３，６３がそれぞれ設けられているので、簡便に電線側シールドコネクタ２０を共用アウターハウジング４０の電線コネクタ収容室４３内に抜け止め状態に収容保持することができる。これにより、従来技術の図８で説明した電線側アウターハウジング２２０に設けられていたロック部２２１と、これに係合する機器側アウターハウジング２４０に設けられていた凹部２４１が廃止された分、更に小型化が可能になっている。
【００５９】
特に、上述したような複数の電線側シールドコネクタ２０とこれに嵌合される複数の機器側シールドコネクタ３０を収容保持するアウターハウジングとしての小型化が可能になっている。したがって、従来技術で説明した図９に示されるように機器側アウターハウジング２６０の長尺化によってシールドコネクタ装置２５０が大きくなる結果、プリント回路基板９０上での占有面積が増大してしまい、その分、回路パターンが形成される領域を小さくなってしまうという問題が解消されることになる。
【００６０】
また、共用アウターハウジング４０の後方開口部４３ａの上壁４６にはその外側から第１蓋体５０の支持板５３が挿通可能なスリット４６ａが上壁４６の後端縁から切欠形成され、下壁４７にはその外側から第２蓋体６０の支持板６３が挿通可能なスリット４７ａが下壁４７の後端縁から切欠形成されると共に、第１蓋体５０と第２蓋体６０はそれぞれ後方開口部４３ａを塞ぐように上下方向からスライドされて装着されているので、簡便な構成で共用アウターハウジング４０の後方開口部４３ａを第１蓋体５０と第２蓋体６０により塞ぐと共に、それぞれに設けられた支持板５３，６３により電線側シールドコネクタ２０の後端面２４ｃ，２５ｅを支持して抜け止め状態にすることが可能になっている。
【００６１】
次に、本発明の第２の実施形態に係るシールドコネクタ装置について図５〜図７を用いて説明する。図５は第２の実施形態に係るシールドコネクタ装置１００の嵌合前の状態を示した外観斜視図、図６はシールドコネクタ装置１００の嵌合後の状態を示した外観斜視図、図７は同じくシールドコネクタ装置１００の嵌合後の状態を示した断面図である。尚、上述した第１の実施形態に係るシールドコネクタ装置１０と同一の構成については同符号を付して説明は省略し、異なる点を中心に説明する。
【００６２】
図示されるように、共用アウターハウジング１１０の後方開口部４３ａ，４３ａ，４３ａ，４３ａは、その上壁４６の後端縁にヒンジ部１２１を介して連結された第１蓋体１２０と、下壁４７の後端縁にヒンジ部１３１を介して連結された第２蓋体１３０によって閉塞されるようになっている。
【００６３】
この場合、図６に示されるように、第１蓋体１２０はヒンジ部１２１を中心に上方向から後側に回動されて閉じるように装着され、第２蓋体１３０はヒンジ部１３１を中心に下方向から後側に回動されて閉じるように装着される。これら第１蓋体１２０と第２蓋体１３０は樹脂製の絶縁部材により共用アウターハウジング１１０と一体的に成形されている。
【００６４】
また、図５に示されるように、第１蓋体１２０の半円切欠部５１ｂの両側位置には、円弧形状を有した支持板１２２，１２２が後方に向かって突出するように設けられ、第２蓋体１３０の半円切欠部６１ｂの両側位置には、円弧形状を有した支持板１３２，１３２が後方に向かって突出するように設けられている。
【００６５】
この場合、第１蓋体１２０と第２蓋体１３０が、それぞれヒンジ部１２１，１３１を中心に後側に回動された際に、互いに干渉しないようにそれぞれの支持板１２２，１３２は円弧形状に形成されている。
【００６６】
そして、図７に示されるように、共用アウターハウジング１１０の後方開口部４３ａ，４３ａ，４３ａ，４３ａを閉塞する第１蓋体１２０と第２蓋体１３０のそれぞれに設けられた支持板１２２，１３２によって、電線側シールドコネクタ２０の左右両側の後端面、具体的には、シールドカバー２５の後端面２５ｅとシールドケース２４の後端面２４ｃが後方から支持されることで、電線側シールドコネクタ２０が電線側コネクタ収容室４３内において抜け止め状態に収容保持されることになる。
【００６７】
上述したシールドコネクタ装置１００によれば、共用アウターハウジング１１０の後方開口部４３ａの上壁４６の後端縁にはヒンジ部１２１を介して第１蓋体１２０が一体的に連結され、下壁４７の後端縁にはヒンジ部１３１を介して第２蓋体１３０が一体的に連結されると共に、第１蓋体１２０と第２蓋体１３０はそれぞれ後方開口部４３ａを塞ぐように閉じられて装着されているので、簡便な構成で共用アウターハウジング１１０の後方開口部４３ａを第１蓋体１２０と第２蓋体１３０により塞ぐと共に、それぞれに設けられた支持板１２２，１３２により電線側シールドコネクタ２０の後端面２４ｃ，２５ｅを支持して抜け止めすることが可能になる。
【００６８】
また、第１蓋体１２０と第２蓋体１３０は、ヒンジ部１２１，１３１を介して共用アウターハウジング１１０に連結されている構成なので、第１蓋体１２０、第２蓋体１３０、共用アウターハウジング１１０を樹脂製の絶縁部材に一体的に成形することが可能になり、これらの製作にかかるコストを低減することができる。
【００６９】
以上説明したシールドコネクタ装置１０，１００によれば、機器側シールドコネクタ３０とこの機器側シールドコネクタ３０に嵌合される電線側シールドコネクタ２０とを共に収容保持する共用アウターハウジング４０，１１０により、従来技術で説明した機器側アウターハウジング２４０と電線側アウターハウジング２２０の２つの部材が１つの部材によって共有化されているので、シールドコネクタ装置１０，１００の小型化が可能になる。
【００７０】
また、電線側シールドコネクタ２０が挿入される共用アウターハウジング４０，１１０の後方開口部４３ａには、その後方開口部４３ａの上半分を塞ぐ第１蓋体５０，１２０と下半分を塞ぐ第２蓋体６０，１３０とが装着されると共に、各蓋体５０，６０，１２０，１３０には電線側シールドコネクタ２０の後端面２４ｃ，２５ｅを支持して抜け止めする支持板５３，６３，１２２，１３２がそれぞれ設けられているので、簡便に電線側シールドコネクタ２０を共用アウターハウジング４０，１１０内に抜け止め状態に収容保持することができる。したがって、従来技術で説明した電線側アウターハウジング２２０に設けられていたロック部２２１と、これに係合する機器側アウターハウジング２４０に設けられていた凹部２４１が廃止された分、更に小型化が可能になっている。
【００７１】
以上、本発明に係るシールドコネクタ装置の実施の形態について説明したが、本発明はこうした実施の形態に何ら限定されるものではなく、本発明の要旨を逸脱しない範囲において、種々なる態様で実施できることは勿論である。例えば、上述した実施の形態では、互いに嵌合される電線側シールドコネクタ２０と機器側シールドコネクタ３０を複数横並びに並設した場合のシールドコネクタ装置１０，１００を示したが、電線側シールドコネクタ２０と機器側シールドコネクタ３０と縦横に複数並設した場合にも、本発明と適用することができ、上述した実施形態には限定されない。また、機器側シールドコネクタと電気機器が備えるプリント回路基板との接続の態様も、上述した実施形態には限定されず、種々なる態様に適用することができる。
【図面の簡単な説明】
【００７２】
【図１】本発明の第１の実施形態に係るシールドコネクタ装置の嵌合前の状態を示した外観斜視図である。
【図２】図１のシールドコネクタ装置の断面図である。
【図３】図１のシールドコネクタ装置の嵌合後の状態を示した外観斜視図である。
【図４】図３のシールドコネクタ装置の断面図である。
【図５】本発明の第２の実施形態に係るシールドコネクタ装置の嵌合前の状態を示した外観斜視図である。
【図６】図５のシールドコネクタ装置の嵌合後の状態を示した外観斜視図である。
【図７】図６のシールドコネクタ装置の断面図である。
【図８】従来用いられてきたシールドコネクタ装置の概略構成を示しており、（ａ）は電線側シールドコネクタの分解斜視図、（ｂ）はシールドコネクタ装置の嵌合前の状態を示した断面図である。
【図９】図８の電線側シールドコネクタを複数備えたシールドコネクタ装置の嵌合前の状態を示した外観斜視図である。
【符号の説明】
【００７３】
１０  シールドコネクタ装置
２０  電気側シールドコネクタ
２４ｃ，２５ｅ  後端面
３０  機器側シールドコネクタ
４０  共用アウターハウジング
４１  機器側コネクタ収容室
４３  電線側コネクタ収容室
４３ａ  後方開口部
４３ｂ  ガイド溝
４３ｃ  ストッパ部
４４，４５  Ｔ字係合溝
４６  上壁
４６ａ  スリット
４７  下壁
４７ａ  スリット
５０  第１蓋体
５１  蓋部
５１ａ  下端縁
５１ｃ  係合片
５２  Ｔ字係合部
５３  支持板
６０  第２蓋体
６１  蓋部
６１ａ  上端縁
６１ｃ  係合孔
６２  Ｔ字係合部
６３  支持板
９０  プリント基板
１００  シールドコネクタ装置
１１０  共用アウターハウジング
１２０  第１蓋体
１２１  ヒンジ部
１２２  支持板
１３０  第２蓋体
１３１  ヒンジ部
１３２  支持板
Ｗ  シールドツイストペア電線
【図１】
0005091763.tif 000002
【図２】
0005091763.tif 000003
【図３】
0005091763.tif 000004
【図４】
0005091763.tif 000005
【図５】
0005091763.tif 000006
【図６】
0005091763.tif 000007
【図７】
0005091763.tif 000008
【図８】
0005091763.tif 000009
【図９】
0005091763.tif 000010